(57)【要約】【課題】コピープロテクトの影響を受けることなく、記録媒体の追記にも対応する。【解決手段】第１判定手段Ｐ２によって記録媒体２０に先頭で記録されたセッション２１の記録領域２２から管理情報が取得されると、第１判定手段Ｐ２によって該管理情報に次のセッションが関連付けられているか否かが判定される。そして、管理情報に次のセッション２１が関連付けられていると判定されたときは、第２判定手段Ｐ３によって当該管理情報の種別データに基づいて、先頭のセッション２１の情報領域２３に記録された情報にＲＯＭ情報が存在するか否かが判定される。そして、ＲＯＭ情報が存在すると判定されると、第２管理情報取得手段Ｐ４によって先頭のセッション２１の次のセッション２１以降から管理情報が取得され、解析手段Ｐ５によって全てのセッション２１から取得された複数の管理情報が解析される。【選択図】図１
2010218620.tif 000002
【特許請求の範囲】
【請求項１】
オーディオ情報又はＲＯＭ情報が記録される情報領域と、前記情報領域に記録された情報の種別データを有する管理情報が記録される記録領域と、を有するセッションが複数記録された記録媒体の前記記録領域を解析する記録媒体解析装置において、
前記記録媒体に先頭で記録された前記セッションから前記管理情報を取得する第１管理情報取得手段と、
前記第１管理情報取得手段が取得した管理情報に次のセッションが関連付けられているか否かを判定する第１判定手段と、
前記第１判定手段が次のセッションが関連付けられていると判定したときに、前記取得した管理情報の種別データに基づいて、先頭のセッションの情報領域に記録された情報に前記ＲＯＭ情報が存在するか否かを判定する第２判定手段と、
前記第２判定手段が、前記ＲＯＭ情報が存在すると判定したときに、前記次のセッションから前記管理情報を取得する第２管理情報取得手段と、
前記第１管理情報取得手段及び前記第２管理情報取得手段が取得した複数の管理情報に基づいて、前記記録媒体に記録された前記管理情報を解析する解析手段と、
を有することを特徴とする記録媒体解析装置。
【請求項２】
前記管理情報が、前記記録媒体の再生に利用されるＴＯＣ情報であることを特徴とする請求項１に記載の記録媒体解析装置。
【請求項３】
請求項１又は２に記載の記録媒体解析装置と、
前記記録媒体解析装置が解析した解析結果に基づいて、正常な前記セッションの情報領域から情報を取得して再生する情報再生装置と、
を有することを特徴とする記録媒体再生装置。
【請求項４】
オーディオ情報又はＲＯＭ情報が記録される情報領域と、前記情報領域に記録された情報の種別データを有する管理情報が記録される記録領域と、を有するセッションが複数記録された記録媒体の前記記録領域を解析する記録媒体解析方法において、
前記記録媒体に先頭で記録された前記セッションから前記管理情報を取得する過程と、
前記取得した管理情報に次のセッションが関連付けられているか否かを判定する過程と、
前記取得した管理情報に次のセッションが関連付けられていると判定したときに、前記取得した管理情報の種別データに基づいて、先頭のセッションの情報領域に記録された情報に前記ＲＯＭ情報が存在するか否かを判定する過程と、
前記ＲＯＭ情報が存在すると判定したときに、前記次のセッションから前記管理情報を取得する過程と、
前記記録媒体から取得した複数の管理情報に基づいて、前記記録媒体に記録された前記管理情報を解析する過程と、
を有することを特徴とする記録媒体解析方法。
【請求項５】
オーディオ情報又はＲＯＭ情報が記録される情報領域と、前記情報領域に記録された情報の種別データを有する管理情報が記録される記録領域と、を有するセッションが複数記録された記録媒体の前記記録領域を解析する記録媒体解析装置のコンピュータを、
前記記録媒体に先頭で記録された前記セッションから前記管理情報を取得する第１管理情報取得手段と、
前記第１管理情報取得手段が取得した管理情報に次のセッションが関連付けられているか否かを判定する第１判定手段と、
前記第１判定手段が次のセッションが関連付けられていると判定したときに、前記取得した管理情報の種別データに基づいて、先頭のセッションの情報領域に記録された情報に前記ＲＯＭ情報が存在するか否かを判定する第２判定手段と、
前記第２判定手段が、前記ＲＯＭ情報が存在すると判定したときに、前記次のセッションから前記管理情報を取得する第２管理情報取得手段と、
前記第１管理情報取得手段及び前記第２管理情報取得手段が取得した複数の管理情報に基づいて、前記記録媒体に記録された前記管理情報を解析する解析手段と、
して機能させるための記録媒体解析プログラム。
【発明の詳細な説明】
【技術分野】
【０００１】
本発明は、例えばマルチセッション方式の記録媒体の管理情報を解析する記録媒体解析装置、記録媒体再生装置、記録媒体解析方法、記録媒体解析プログラム、等に関するものである。
【背景技術】
【０００２】
大容量の情報を記録することが可能な記録媒体として、ＣＤ（Compact Disk）とＤＶＤ（Digital Video Disk又はDigital Versatile Disk）とＢＤ（Blu-ray Disc）などが知られている。該記録媒体のデータ記録形式の１つとして、複数回の追記が可能なマルチセッションが知られている。
【０００３】
マルチセッションの記録媒体は、データの記録単位であるセッションが複数連なった構造となっている。該セッションは、公知であるように、記録開始の目印であるリードイン領域と、プログラム領域と、記録終了の目印であるリードアウト領域と、を有している。リードイン領域は、セッションの再生に必要なトラック数、各トラックの開始時間、各トラックの種類、等のＴＯＣ（Table Of Contents）情報を記録する。プログラム領域は、音楽データ、画像データなどのデータ本体を記録する。リードアウト領域は、セッションのデータが終了したことを示す情報を記録する。
【０００４】
マルチセッション方式の記録媒体の情報を処理する場合、まず、記録媒体からＴＯＣ情報を読み取り、該記録媒体がＣＤ−ＤＡ（Compact Disc Digital Audio）かＣＤ−ＲＯＭ（Compact Disk Read Only Memory）かを判断する。さらに、セッションが１つしかないシングルセッション方式か、複数設けられたマルチセッション方式かを判断する。そして、マルチセッション方式であると判断した場合、セッションに記録された情報の性状、即ち音楽データかフォトデータかなどの選択情報を取得し、該選択情報に基づいて情報を出力可能に処理するための所定の再生プログラムを起動させ、情報を処理する。
【０００５】
そして、マルチセッション方式で記録された記録媒体から情報を取得する方法としては、特許文献１に記載された構成が知られている。該特許文献１は、２ｎｄセッション以降のＴＯＣ情報を取得して、ＴＯＣの異常を検知した場合に、２ｎｄセッション以降を無効とする技術思想が記載されている。
【先行技術文献】
【特許文献】
【０００６】
【特許文献１】特許第３９３４０７０号公報
【発明の概要】
【発明が解決しようとする課題】
【０００７】
非圧縮方式の音楽データを記録媒体に記録する場合、通常シングルセッションで記録されることが多いが、コピープロテクトされた記録媒体の一部には、マルチセッションで記録し、２ｎｄセッションに異常なデータを記録することで、パーソナルコンピュータ（パソコン）での再生ができないようにしたものが存在していた。また、パソコンで、圧縮方式の音楽データ等をＣＤ／ＤＶＤへ追記する場合に、該追記がマルチセッション方式で行われるようになっていた。
【０００８】
コピープロテクトされた記録媒体は、１ｓｔセッションのリードインエリアのＴＯＣ情報には正常なデータが組み込まれているが、２ｎｄセッション以降のリードインエリアのＴＯＣ情報に異常なデータが組み込まれているため、上述した先行文献１では、２ｎｄセッション以降のＴＯＣ情報を取得した上で、２ｎｄセッション以降の有効／無効を判断していた。このため、２ｎｄセッション以降のＴＯＣ情報を取得するのに時間を要してしまうという問題があった。
【０００９】
一方、コピープロテクトの影響を受けないように、マルチセッションを非対応とすると、圧縮方式の音楽データの追記部分の再生ができなくなるという問題が生じる。しかしながら、追記に対応するマルチセッション対応とすると、今度はコピープロテクトの影響を受ける可能性が生じるという問題がある。このように本発明が解決しようとする課題は、上記した問題が一例として挙げられる。
【００１０】
よって本発明は、上述した問題点に鑑み、コピープロテクトの影響を受けることなく、記録媒体に対する追記にも対応することができる記録媒体解析装置、記録媒体再生装置、記録媒体解析方法、記録媒体解析プログラム、等を提供することを課題としている。
【課題を解決するための手段】
【００１１】
上記課題を解決するため本発明によりなされた請求項１記載の記録媒体解析装置は、オーディオ情報又はＲＯＭ情報が記録される情報領域と、前記情報領域に記録された情報の種別データを有する管理情報が記録される記録領域と、を有するセッションが複数記録された記録媒体の前記記録領域を解析する記録媒体解析装置において、前記記録媒体に先頭で記録された前記セッションから前記管理情報を取得する第１管理情報取得手段と、前記第１管理情報取得手段が取得した管理情報に次のセッションが関連付けられているか否かを判定する第１判定手段と、前記第１判定手段が次のセッションが関連付けられていると判定したときに、前記取得した管理情報の種別データに基づいて、先頭のセッションの情報領域に記録された情報に前記ＲＯＭ情報が存在するか否かを判定する第２判定手段と、前記第２判定手段が、前記ＲＯＭ情報が存在すると判定したときに、前記次のセッションから前記管理情報を取得する第２管理情報取得手段と、前記第１管理情報取得手段及び前記第２管理情報取得手段が取得した複数の管理情報に基づいて、前記記録媒体に記録された前記管理情報を解析する解析手段と、を有することを特徴とする。
【００１２】
上記課題を解決するため本発明によりなされた請求項３記載の記録媒体再生装置は、請求項１又は２に記載の記録媒体解析装置と、前記記録媒体解析装置が解析した解析結果に基づいて、正常な前記セッションの情報領域から情報を取得して再生する情報再生装置と、を有することを特徴とする。
【００１３】
上記課題を解決するため本発明によりなされた請求項４記載の記録媒体解析方法は、オーディオ情報又はＲＯＭ情報が記録される情報領域と、前記情報領域に記録された情報の種別データを有する管理情報が記録される記録領域と、を有するセッションが複数記録された記録媒体の前記記録領域を解析する記録媒体解析方法において、前記記録媒体に先頭で記録された前記セッションから前記管理情報を取得する過程と、前記取得した管理情報に次のセッションが関連付けられているか否かを判定する過程と、前記取得した管理情報に次のセッションが関連付けられていると判定したときに、前記取得した管理情報の種別データに基づいて、先頭のセッションの情報領域に記録された情報に前記ＲＯＭ情報が存在するか否かを判定する過程と、前記ＲＯＭ情報が存在すると判定したときに、前記次のセッションから前記管理情報を取得する過程と、前記記録媒体から取得した複数の管理情報に基づいて、前記記録媒体に記録された前記管理情報を解析する過程と、を有することを特徴とする。
【００１４】
上記課題を解決するため本発明によりなされた請求項５記載の記録媒体解析プログラムは、オーディオ情報又はＲＯＭ情報が記録される情報領域と、前記情報領域に記録された情報の種別データを有する管理情報が記録される記録領域と、を有するセッションが複数記録された記録媒体の前記記録領域を解析する記録媒体解析装置のコンピュータを、前記記録媒体に先頭で記録された前記セッションから前記管理情報を取得する第１管理情報取得手段と、前記第１管理情報取得手段が取得した管理情報に次のセッションが関連付けられているか否かを判定する第１判定手段と、前記第１判定手段が次のセッションが関連付けられていると判定したときに、前記取得した管理情報の種別データに基づいて、先頭のセッションの情報領域に記録された情報に前記ＲＯＭ情報が存在するか否かを判定する第２判定手段と、前記第２判定手段が、前記ＲＯＭ情報が存在すると判定したときに、前記次のセッションから前記管理情報を取得する第２管理情報取得手段と、前記第１管理情報取得手段及び前記第２管理情報取得手段が取得した複数の管理情報に基づいて、前記記録媒体に記録された前記管理情報を解析する解析手段と、して機能させるための記録媒体解析プログラムである。
【図面の簡単な説明】
【００１５】
【図１】本発明に係る記録媒体解析装置を有する記録媒体再生装置の基本構成を示す構成図である。
【図２】本発明の実施例に係る光ディスク再生装置の概略構成を示す構成図である。
【図３】光ディスクの概略構成とＴＯＣ情報解析部と再生制御部との関係を説明するための図である。
【図４】図２に示されたマイコンが実行する解析処理の一例を示すフローチャートである。
【発明を実施するための形態】
【００１６】
以下、本発明に係る記録媒体解析装置、記録媒体再生装置、記録媒体解析方法、及び記録媒体解析プログラムの一実施の形態を、図１の基本構成図を参照して以下に説明する。
【００１７】
図１において、記録媒体解析装置１１Ａは、オーディオ情報又はＲＯＭ情報が記録される情報領域２３と、前記情報領域２３に記録された情報の種別データを有する管理情報が記録される記録領域２２と、を有するセッション２１が複数記録された記録媒体２０の前記記録領域２２を解析する記録媒体解析装置１１Ａにおいて、前記記録媒体２０に先頭で記録された前記セッション２１から前記管理情報を取得する第１管理情報取得手段Ｐ１と、前記第１管理情報取得手段Ｐ１が取得した管理情報に次のセッション２１が関連付けられているか否かを判定する第１判定手段Ｐ２と、前記第１判定手段Ｐ２が次のセッション２１が関連付けられていると判定したときに、前記取得した管理情報の種別データに基づいて、先頭のセッション２１の情報領域２３に記録された情報に前記ＲＯＭ情報が存在するか否かを判定する第２判定手段Ｐ３と、前記第２判定手段Ｐ３が、前記ＲＯＭ情報が存在すると判定したときに、前記次のセッション２１から前記管理情報を取得する第２管理情報取得手段Ｐ４と、前記第１管理情報取得手段Ｐ１及び前記第２管理情報取得手段Ｐ４が取得した複数の管理情報に基づいて、前記記録媒体２０に記録された前記管理情報を解析する解析手段Ｐ５と、を有している。
【００１８】
また、記録媒体解析方法は、オーディオ情報又はＲＯＭ情報が記録される情報領域と、前記情報領域に記録された情報の種別データを有する管理情報が記録される記録領域と、を有するセッションが複数記録された記録媒体の前記記録領域を解析する記録媒体解析方法において、前記記録媒体に先頭で記録された前記セッションから前記管理情報を取得する過程と、前記取得した管理情報に次のセッションが関連付けられているか否かを判定する過程と、前記取得した管理情報に次のセッションが関連付けられていると判定したときに、前記取得した管理情報の種別データに基づいて、先頭のセッションの情報領域に記録された情報に前記ＲＯＭ情報が存在するか否かを判定する過程と、前記ＲＯＭ情報が存在すると判定したときに、前記次のセッションから前記管理情報を取得する過程と、前記記録媒体から取得した複数の管理情報に基づいて、前記記録媒体に記録された前記管理情報を解析する過程と、を有している。
【００１９】
さらに、記録媒体解析プログラムは、オーディオ情報又はＲＯＭ情報が記録される情報領域２３と、前記情報領域２３に記録された情報の種別データを有する管理情報が記録される記録領域２２と、を有するセッション２１が複数記録された記録媒体２０の前記記録領域２２を解析する記録媒体解析装置１１Ａのコンピュータを、前記記録媒体２０に先頭で記録された前記セッション２１から前記管理情報を取得する第１管理情報取得手段Ｐ１と、前記第１管理情報取得手段Ｐ１が取得した管理情報に次のセッション２１が関連付けられているか否かを判定する第１判定手段Ｐ２と、前記第１判定手段Ｐ２が次のセッション２１が関連付けられていると判定したときに、前記取得した管理情報の種別データに基づいて、先頭のセッション２１の情報領域２３に記録された情報に前記ＲＯＭ情報が存在するか否かを判定する第２判定手段Ｐ３と、前記第２判定手段Ｐ３が、前記ＲＯＭ情報が存在すると判定したときに、前記次のセッション２１から前記管理情報を取得する第２管理情報取得手段Ｐ４と、前記第１管理情報取得手段Ｐ１及び前記第２管理情報取得手段Ｐ４が取得した複数の管理情報に基づいて、前記記録媒体２０に記録された前記管理情報を解析する解析手段Ｐ５として機能させるための記録媒体解析プログラムとなっている。
【００２０】
このような記録媒体解析装置１１Ａによれば、第１判定手段Ｐ２によって記録媒体２０に先頭で記録されたセッション２１の記録領域２２から管理情報が取得されると、第１判定手段Ｐ２によって該管理情報に次のセッションが関連付けられているか否かが判定される。この判定方法の一例としては、管理情報にシングルセッション方式かマルチセッション方式かを識別する識別情報が設定されているか、次のセッションのアドレスが設定されているか、等に基づいて判定される。そして、管理情報に次のセッション２１が関連付けられていると判定されたときは、第２判定手段Ｐ３によって当該管理情報の種別データに基づいて、先頭のセッション２１の情報領域２３に記録された情報にＲＯＭ情報が存在するか否かが判定される。そして、ＲＯＭ情報が存在すると判定されると、第２管理情報取得手段Ｐ４によって先頭のセッション２１の次のセッション２１以降から管理情報が取得され、解析手段Ｐ５によって全てのセッション２１から取得された複数の管理情報が解析される。
【００２１】
よって、記録媒体解析装置１１Ａは、記録媒体２０の先頭のセッション２１の記録領域２２に記録された管理情報に次のセッション２１が関連付けられている、即ち、記録媒体２０がマルチセッション方式であり、且つ先頭のセッション２１の情報領域２３に記録している情報にＲＯＭ情報が存在するときに、次のセッション２１以降の管理情報を取得して解析するようにしたことから、コピープロテクトされた記録媒体の先頭セッション２１の情報領域２３にオーディオ情報のみが記録されているときに、次のセッション２１以降の管理情報の取得を防止できる。そして、コピープロテクトされたマルチセッション方式の記録媒体において、次のセッション２１の管理情報に異常なデータが記録されていても、本発明の記録媒体解析装置１１Ａは該管理情報を解析しないため、コピープロテクトの影響を排除して解析精度の向上を図ることができる。従って、コピープロテクトの影響を受けることなく、記録媒体の追記にも対応することができる。
【００２２】
また、上述した記録媒体解析装置１１Ａは、前記管理情報が前記記録媒体２０の再生に利用されるＴＯＣ情報となっている。
【００２３】
このような記録媒体解析装置１１Ａによれば、記録媒体２０の記録領域２２に記録されるＴＯＣ情報を用いるようにしたことから、記録領域２２に新たな管理情報を記録する必要がないため、記録処理等には変更を施す必要がなく、簡単な構成で容易に実現することができる。また、次のセッション以降に音楽データが存在しないＣＤ−ＥｘｔｒａやＥｎｈａｎｃｅｄ  ＣＤ等の記録媒体に対しては、次のセッション２１以降のＴＯＣ情報を取得しないため、再生開始までの時間を短縮することができる。
【００２４】
図１において、記録媒体再生装置１は、上述した記録媒体解析装置１１Ａと、前記記録媒体解析装置１１Ａが解析した解析結果に基づいて、正常な前記セッションの情報領域から情報を取得して再生する情報再生装置１１Ｂと、を有している。
【００２５】
このような記録媒体再生装置１によれば、記録媒体２０の先頭のセッション２１の記録領域２２に記録された管理情報に次のセッション２１が関連付けられ、且つ先頭のセッション２１の情報領域２３に記録している情報にＲＯＭ情報が存在するときに、記録媒体解析装置１１Ａは次のセッション２１以降の管理情報を取得して解析し、該解析結果に基づいて情報再生装置１１Ｂが正常なセッションの情報領域から情報を取得して再生するようにした。これにより、コピープロテクトされた記録媒体の先頭セッション２１の情報領域２３にオーディオ情報のみが記憶されているときは、記録媒体解析装置１１Ａが次のセッション２１の管理情報を取得することを防止できる。そして、次のセッション２１の管理情報に異常なデータが記録されていても、該管理情報を解析しないため、コピープロテクトの影響を排除して解析精度の向上を図ることができるともに、情報再生装置１１Ｂの再生に悪影響を及ぼすことを防止できる。従って、コピープロテクトの影響を受けることなく、記録媒体の追記にも対応することができる。
【実施例】
【００２６】
以下、上述した本発明の記録媒体再生装置としての光ディスク再生装置を、図２乃至図４の図面を参照して以下に説明する。なお、上述した図１に示す基本構成のところで説明したものと同一あるいは相当する部分には同一符号を付して説明する。
【００２７】
図２において、光ディスク再生装置１は、ディスクモータ２と、前記読み取り手段としての光ピックアップ３と、キャリッジモータ４と、リードスクリュー５と、ＲＦアンプ６と、サーボ信号処理部７と、ドライバ８と、音声／映像信号処理部９と、バッファ１０と、マイクロコンピュータ（以下マイコンともいう）１１と、を有して構成している。
【００２８】
ディスクモータ２は、光ディスク再生装置１にセットされた、記録媒体としての光ディスク２０を回転させるためのモータであり、スピンドルモータなどで構成されている。なお、本実施例では、光ディスク２０がＣＤ−Ｒである場合について説明する。
【００２９】
光ピックアップ３は、光ディスク２０に照射するレーザ光を発生させるレーザダイオードや、光ディスク２０上にレーザダイオードからのレーザ光を集光するための対物レンズ、サーボ信号処理部７からの信号によりフォーカス方向やトラッキング方向に対物レンズを移動するためのアクチュエータおよび光ディスク２０から反射された反射光を受けるフォトダイオードや、レーザ光を対物レンズへ導いたり、反射光を受光器へ導く光学系などを備えている。光ピックアップ３は、フォトダイオードの出力から光ディスク２０に記録されている映像や音楽などのトラックデータを含むＲＦ信号やフォーカスエラー信号およびトラッキングエラー信号などを生成して、ＲＦアンプ６へ出力する。
【００３０】
キャリッジモータ４は、後述するリードスクリュー５を通じて光ピックアップ３を、光ディスク２０の径方向と平行に設置されている。リードスクリュー５は、キャリッジモータ４の回転軸と機械的に接続されており、キャリッジモータ４の回転に合わせて回転する。リードスクリュー５のネジ溝やネジ山は光ピックアップ３に形成されたネジ山やネジ溝と噛み合っており、リードスクリュー５が回転することで、光ピックアップ３が光ディスク２０の径方向に沿って移動する。
【００３１】
ＲＦアンプ６は、高周波を増幅する回路またはその素子である。ＲＦアンプ６は、光ピックアップ３から入力される信号を所定の値に増幅し、サーボ信号処理部７に出力する。
【００３２】
サーボ信号処理部７は、ＲＦアンプ６から入力されるフォーカスエラー信号やトラッキングエラー信号などの制御信号に基づいて、光ピックアップ３のアクチュエータを駆動させることで、フォーカスおよびトラッキングの制御などを行い、光ディスク２０に記録されたデータを正確に読めるようにする。また、サーボ信号処理部７は、入力されたフォーカスエラー信号のレベルをマイコン１１へ出力する。さらに、サーボ信号処理部７は、光ディスク２０に記録された映像や音楽などを含むＲＦ信号をアナログ／デジタル変換して音声／映像信号処理部９に出力する。
【００３３】
ドライバ８は、サーボ信号処理部７から入力された信号からディスクモータ２および光ピックアップ３のアクチュエータおよびキャリッジモータ４への駆動信号を生成して出力する。
【００３４】
音声／映像信号処理部９は、サーボ信号処理部７から入力された信号にエラー訂正などを行った後、復調やデコードを行ってバッファ１０に出力する。そして、音声／映像信号処理部９は、マイコン１１からの要求に従ってバッファ１０から読み出してホストコンピュータ３０へ出力する。
【００３５】
バッファ１０は、振動などによって再生がとぎれないように、音声／映像信号処理部９で再生する映像や音声などのデータを、一次的に格納するメモリとなっている。バッファ１０は、光ディスク２０から通常の数倍速の再生速度で読み込んだ所定量のデータを格納する。即ち、データを出力するよりも速い速度でピックアップ３が読み取ったデータを格納（バッファリング）する。バッファ１０は、格納したデータを通常の再生速度で音声／映像信号処理部９に出力する。
【００３６】
マイコン１１は、光ディスク再生装置１全体の制御を司る。マイコン１１は、公知であるように、ＣＰＵ（Central Processing Unit）、ＲＯＭ（Read Only Memory）、ＲＡＭ（Random Access Memory）、等を有している。マイコン１１は、ホストコンピュータ３０からの命令に基づいて、光ディスク２０の挿入や排出、再生や停止およびトラックサーチなどの光ディスク再生装置１の各操作に関する制御を行う。
【００３７】
マイコン１１は、上述した図１に示す第１管理情報取得手段Ｐ１、第１判定手段Ｐ２、第２判定手段Ｐ３、第２管理情報取得手段Ｐ４、解析手段Ｐ５、等の各種手段として前記ＣＰＵ（コンピュータ）を機能させるための記録媒体解析プログラム等を前記ＲＯＭ等に記憶している。
【００３８】
次に、光ディスク２０は、図１に示す請求項中の記録媒体に相当し、略中央に図示しない略円形のセンタホールを有した円板状に形成され、片面が情報記録面となっている。マルチセッション方式の光ディスク２０の情報記録面には、図３に示すように、光ディスク２０の内周から、複数のセッション２１が連続的に記録される。具体的には、光ディスク２０の最内周から１ｓｔセッション２１Ａ、２ｎｄセッション２１Ｂ、３ｒｄセッション２１Ｃ、の順番で、光ディスク２０に記録されている。そして、光ディスク２０にセション２１を追記する場合、新たなセッション２１を３ｒｄセッション２１Ｃの次に記録する。
【００３９】
セッション２１は、光ディスク２０の内周から、リードイン領域２２とプログラム領域２３とリードアウト領域２４とを１つのセットとして有して構成している。そして、マルチセッション方式では、該セッション２１の数だけ光ディスク２０に記録される。そして、本実施例では説明を簡単化するために、３つのセッション２１Ａ，２１Ｂ，２１Ｃの場合について説明する。
【００４０】
各リードイン領域２２は、セッション２１の開始を示す前記記録領域（図１参照）であり、該セッション２１の再生に必要なトラック数、各トラックの開始時間、各トラックの種類、等のＴＯＣ（Table Of Contents）情報が記録される。そして、ＴＯＣ情報は、光ディスク２０の種別に関する種別情報、プログラム情報のプログラム領域２３に記録された位置を示すアドレス情報などである。また、光ディスク２０の種別情報としては、例えばＣＤ−ＤＡ、ＣＤ−ＲＯＭ、ＤＶＤ−ＲＯＭ、ＤＶＤ−Ｒ（Digital Versatile Disc-Recordable）、ＤＶＤ−ＲＷ（Digital Versatile Disc-ReWritable）などの種別や、シングルセッション方式かマルチセッション方式かを識別する情報である。本実施例では、種別がＣＤ−ＤＡかＣＤ−ＲＯＭかの場合について説明する。また、アドレス情報は、リードイン領域２２に対応するプログラム領域２３に記録されたプログラム情報のトラック（Ｔｒ）開始時間やフレーム番号などである。
【００４１】
各プログラム領域２３は、オーディオ情報又はＲＯＭ情報のプログラム情報が記録される光ディスク２０の前記情報領域（図１参照）である。そして、ＲＯＭ情報は、ＭＰ３（MPEG Audio Layer-3）等の圧縮方式の音楽データだけでなく画像データや文書データ等を有しており、パーソナルコンピュータ等で読み取り可能なＣＤ−ＲＯＭの情報となっている。また、オーディオ情報は、ＰＣＭ（Pulse Code Modulation）のデータ形式を有しており、ＣＤ−ＤＡの情報となっている。なお、市販されているオーディオＣＤの場合、シングルセッション方式であってもコピープロテクトされたマルチセッション方式であっても、先頭のセッション２１のプログラム領域２３はオーディオデータ（ＣＤ−ＤＡ）のみが記録されていることが多い。
【００４２】
各リードアウト領域２４は、セッション２１のデータが終了したことを示す情報となっている。なお、該各リードアウト領域２４は、セッション２１の構成から削除することもできる。
【００４３】
光ディスク２０がＣＤ−ＲＯＭの場合、リードイン領域２２のＴＯＣ情報には、ＣＤ−ＲＯＭを示す種別情報が設定される。そして、マルチセッション方式の場合、１ｓｔセッション２１ＡのＴＯＣ情報には、マルチセッション方式を示す識別情報が設定される。なお、マルチセッション方式の判定方法としては、ＴＯＣ情報に次の２ｎｄセッション２１Ｂの先頭アドレス等が設定されているか否かに基づいて判定するなどの種々異なる実施形態とすることができる。また、光ディスク２０がＣＤ−ＤＡの場合、リードイン領域２２のＴＯＣ情報には、ＣＤ−ＤＡを示す種別情報が設定される。
【００４４】
次に、上述したマイコン１１は、図３に示すように、ＴＯＣ情報解析部１１Ａと、再生制御部１１Ｂと、を有して構成している。そして、ＴＯＣ情報解析部１１Ａが図１に示す記録媒体解析装置、再生制御部１１Ｂが情報再生装置にそれぞれ相当した機能となっている。そして、ＴＯＣ情報解析部１１Ａは、主に各リードイン領域２２に記録されたＴＯＣ情報を解析する。なお、詳細な処理については後述する。
【００４５】
再生制御部１１Ｂは、プログラム領域２３から取得したプログラム情報を再生する再生処理を実行する。この再生処理により、例えば、プログラム情報が音楽データである場合、音楽データを音声／映像信号処理部９に音楽として再生させてホストコンピュータ３０に出力させる。また、プログラム情報が画像データの場合、画像データを音声／映像信号処理部９に音楽として再生させてホストコンピュータ３０に出力させる。なお、本実施例では、再生した情報をホストコンピュータ３０に出力する場合について説明するが、これに代えて、光ディスク再生装置１に出力手段を設けるなど種々異なる実施形態とすることもできる。
【００４６】
次に、マイコン１１のＣＰＵが前記記録媒体解析プログラムを実行することで行われる解析処理の一例を、図４に示すフローチャートを参照して以下に説明する。そして、この解析処理は、ＴＯＣ情報解析部１１Ａで行う処理である。
【００４７】
マイコン１１は、前記記録媒体解析プログラムを実行すると、ステップＳ１１において、ドライバ８を制御して、ディスクモータ２を駆動させ、光ピックアップ３を１ｓｔセッション２１Ａに対応した位置に移動させる。そして、マイコン１１は、光ピックアップ３のアクチュエータを制御して、サーボ信号処理部７から入力された信号に基づいて、１ｓｔセッション２１Ａのリードイン領域２２からＴＯＣ情報を取得して前記ＲＡＭ等に記憶し、その後ステップＳ１２の処理に進む。
【００４８】
マイコン１１は、ステップＳ１２において、前記ＲＡＭ等に記憶したＴＯＣ情報の識別情報に基づいて、光ディスク２０がマルチセッション方式であるか否かを判定する。マイコン１１は、マルチセッション方式ではないと判定した場合（Ｓ１２でＮ）、その後、解析処理を終了する。一方、マイコン１１は、マルチセッション方式であると判定した場合（Ｓ１２でＹ）、その後ステップＳ１３の処理に進む。
【００４９】
マイコン１１は、ステップＳ１３において、ＴＯＣ情報の種別情報が示す１ｓｔセッション２１Ａのプログラム領域２３の種別に基づいて、ＲＯＭトラックが存在するか否かを判定する。詳細には、プログラム領域２３がＣＤ−ＲＯＭであるかＣＤ−ＤＡであるかに基づいて判定を行う。なお、プログラム情報の種類だけでなく、ＲＯＭトラックの存在を判定することで、より正確な判定を行うことができる。そして、マイコン１１は、ＲＯＭトラックが存在しないと判定した場合（Ｓ１３でＮ）、その後、解析処理を終了する。一方、マイコン１１は、ＲＯＭトラックが存在すると判定した場合（Ｓ１３でＹ）、ステップＳ１４の処理に進む。
【００５０】
マイコン１１は、ステップＳ１４において、ステップＳ１の処理と同様に、ドライバ８を制御して、次セッション２１以降のリード領域２２をサーチして、２ｎｄセッション２１Ｂ、３ｒｄセッション２１ＣのＴＯＣ情報を取得して前記ＲＡＭ等に記憶し、その後ステップＳ１５の処理に進む。すなわち、マルチセッション方式で１ｓｔセッション２１ＡにＲＯＭトラックが存在する場合は、光ディスク２０がコピープロテクトされたディスクではなく、ユーザが作成したディスクである可能性が高いので、次セッション２１以降のＴＯＣ情報を取得している。そして、マイコン１１は、ステップＳ１５において、前記ＲＡＭ等に取得した複数のＴＯＣ情報を解析し、光ディスク２０の再生順番等の該解析結果を前記ＲＡＭ等に記憶し、その後解析処理を終了する。
【００５１】
以上説明した図４に示す解析処理をマイコン１１が実行することで、上述した図１に示す請求項中の第１管理情報取得手段Ｐ１、第１判定手段Ｐ２、第２判定手段Ｐ３、第２管理情報取得手段Ｐ４、解析手段Ｐ５としてマイコン１１が機能することになる。そして、図４に示すフローチャート中のステップＳ１１が第１管理情報取得手段Ｐ１、ステップＳ１２が第１判定手段Ｐ２、ステップＳ１３が第２判定手段Ｐ３、ステップＳ１４が第２管理情報取得手段Ｐ４、ステップＳ１５が解析手段Ｐ５にそれぞれ相当している。
【００５２】
次に、上述した構成の光ディスク再生装置１の動作（作用）の一例を、図３の図面等を参照して以下に説明する。
【００５３】
光ディスク再生装置１は、ＣＤ−ＲＯＭである光ディスク２０が装着されると、まず、ＴＯＣ情報解析部１１Ａが当該光ディスク２０の解析を行う。ＴＯＣ情報解析部１１Ａは、１ｓｔセッション２１Ａのリードイン領域２２からＴＯＣ情報を取得し、該ＴＯＣ情報に基づいて光ディスク２０がマルチセッション方式であるか否かを判定する。ＴＯＣ情報解析部１１Ａは、図３に示すように、光ディスク２０がマルチセッション方式であると判定すると、２ｎｄセッション２１Ｂ以降のリードイン領域２２をサーチして、各ＴＯＣ情報を取得する。
【００５４】
ＴＯＣ情報解析部１１Ａは、全てのセッション２１から取得したＴＯＣ情報を解析し、該解析結果を前記ＲＡＭ等に記憶する。再生制御部１１Ｂは、当該解析結果が示す順番、図３中では１ｓｔセッション２１Ａ、２ｎｄセッション２１Ｂ、３ｒｄセッション２１Ｃの順でプログラム領域２３をサーチして、各プログラム領域２３からプログラム情報を取得する。再生制御部１１Ｂは、プログラム領域２３から取得したプログラム情報の再生処理を実行して、音声／映像信号処理部９を制御することで、プログラム情報を再生してホストコンピュータ３０に出力する。
【００５５】
また、光ディスク再生装置１は、ＣＤ−ＤＡの光ディスク２０が装着されると、まず、ＴＯＣ情報解析部１１Ａが当該光ディスク２０の解析を行う。ＴＯＣ情報解析部１１Ａは、１ｓｔセッション２１Ａのリードイン領域２２からＴＯＣ情報を取得し、該ＴＯＣ情報に基づいて光ディスク２０がマルチセッション方式であるか否かを判定する。ＴＯＣ情報解析部１１Ａは、光ディスク２０がマルチセッション方式ではないと判定すると、解析を終了する。そして、再生制御部１１Ｂは、１ｓｔセッション２１Ａのプログラム領域２３から取得したプログラム情報の再生処理を実行して、音声／映像信号処理部９を制御することで、プログラム情報を再生してホストコンピュータ３０に出力する。
【００５６】
さらに、光ディスク再生装置１は、ＣＤ−ＥｘｔｒａやＥｎｈａｎｃｅｄ  ＣＤ等の光ディスク２０が装着されると、該光ディスク２０の２ｎｄセッション２１Ｂ以降に音楽データは存在していない。しかしながら、ＴＯＣ情報解析部１１Ａは、１ｓｔセッション２１ＡのＴＯＣ情報がマルチセッション方式を示していても、プログラム領域２３にＲＯＭトラックが存在していないと判定するため、２ｎｄセッション２１Ｂ以降のＴＯＣ情報の取得を行わない。よって、再生制御部１１Ｂは、再生開始時間までの時間を短縮して、１ｓｔセッション２１Ａのプログラム領域２３から取得したプログラム情報を再生する。
【００５７】
以上説明した光ディスク再生装置１は、光ディスク２０の１ｓｔセッション２１Ａのリードイン領域２２に記録されたＴＯＣ情報に２ｎｄセッション２１Ｂが関連付けられている、即ち、光ディスク２０がマルチセッション方式であり、且つ１ｓｔセッション２１Ａのプログラム領域２３に記録している情報にＲＯＭ情報が存在するときに、２ｎｄセッション２１Ｂ以降の管理情報を取得して解析するようにしたことから、コピープロテクトされた光ディスク２０の１ｓｔセッション２１Ａの情報領域２３にオーディオ情報のみが記録されているときに、２ｎｄセッション２１ＢのＴＯＣ情報の取得を防止できる。そして、２ｎｄセッション２１Ｂの管理情報に異常なデータが記録されていても、該ＴＯＣ情報を解析しないため、コピープロテクトの影響を排除して解析精度の向上を図ることができる。従って、コピープロテクトの影響を受けることなく、光ディスク２０に対する追記にも対応することができる。
【００５８】
また、上述した光ディスク再生装置１によれば、光ディスク２０のリードイン領域２２に記録されるＴＯＣ情報を用いるようにしたことから、リードイン領域２２に新たな管理情報を記録する必要がないため、光ディスク２０に対する記録に関する処理等には変更を施す必要がなく、簡単な構成で容易に実現することができる。また、２ｎｄセッション２１Ｂ以降に音楽データが存在しないＣＤ−ＥｘｔｒａやＥｎｈａｎｃｅｄ  ＣＤ等の光ディスク２０に対しては、２ｎｄセッション２１Ｂ以降のＴＯＣ情報を取得しないため、再生開始までの時間を短縮することができる。
【００５９】
なお、上述した実施例では、本発明の記録媒体解析装置を有する記録媒体再生装置が光ディスク再生装置１である場合について説明した。これに代えて、記録媒体再生装置をホーム／カーオーディオ装置、カーナビゲーション装置、パーソナルコンピュータ等の各種再生装置によって実現することもできる。
【００６０】
このように上述した実施例は本発明の代表的な形態を示したに過ぎず、本発明は、実施形態に限定されるものではない。即ち、本発明の骨子を逸脱しない範囲で種々変形して実施することができる。
【符号の説明】
【００６１】
１    記録媒体再生装置（光ディスク再生装置）
１１Ａ    記録媒体解析装置
１１Ｂ    情報再生装置
２０    記録媒体（光ディスク）
２１    セッション
２２    記録領域（リードイン領域）
２３    情報領域（プログラム領域）
Ｐ１    第１管理情報取得手段
Ｐ２    第１判定手段
Ｐ３    第２判定手段
Ｐ４    第２管理情報取得手段
Ｐ５    解析手段
【図１】
2010218620.tif 000003
【図２】
2010218620.tif 000004
【図３】
2010218620.tif 000005
【図４】
2010218620.tif 000006